(57)【要約】【課題】ＥＴＣカードの挿入時に必要な指よけ用凹部を筐体の意匠面からなくす。【解決手段】ＥＴＣカード２の挿入時には、ＥＴＣカード２をカード挿入口２２ａに挿し入れ、前端面を指で押してＥＴＣカード２を次第に挿入していく。すると、指が筐体１０の意匠面１０ａに当たる手前ぐらいの位置でカード挿入口部材２２がＥＴＣ車載器１の開口１０ｂから突出してくる。次に、指をＥＴＣカード２の前端面からカード挿入口部材２２の意匠面２２ｆに乗せ替え、意匠面２２ｆを、筐体１０の意匠面１０ａと一致する収納位置まで押し込む。すると、収納位置で、カード挿入口部材２２がＥＴＣ車載器１に対してカード排出ボタン１１を含むカード挿脱機構によってロックされる。【選択図】図８
2007293408.tif 000002
【特許請求の範囲】
【請求項１】
カード全挿入タイプのカードコネクタを使用するＥＴＣ車載器において、
ＥＴＣカードをカード挿入位置で保持し、カード排出操作に応じて前記ＥＴＣカードをカード挿入位置から排出するカード挿脱機構を有するコネクタ本体，および前記コネクタ本体のカード挿入端部にスライド自在に嵌合されたカード挿入口部材からなるカードコネクタと、
前記カードコネクタを前記カード挿入口部材の開口に対応させて配設する筐体とを備え、
前記ＥＴＣカードの挿入過程で、前記カード挿脱機構と連動して、前記カード挿入口部材を、当該カード挿入口部材の意匠面が前記筐体の意匠面と面一となる収納位置から、当該カード挿入口部材の意匠面が前記筐体の意匠面から突出する突出位置に変位させることを特徴とするＥＴＣ車載器。
【請求項２】
前記カード挿入口部材の前記突出位置への変位後に、当該カード挿入口部材を前記収納位置まで押し込むことにより、前記カード挿脱機構により前記ＥＴＣカードが前記カード挿入位置で保持される請求項１記載のＥＴＣ車載器。
【請求項３】
前記カード挿脱機構が、前記ＥＴＣカードの後端面と当接するカード排出プレートと、前記カード排出プレートをカード排出方向に付勢する第１付勢手段と、前記カード排出プレートと係合して前記カード排出プレートを前記カード挿入位置でロックするロックプレートと、前記ロックプレートを前記カード排出プレートのロック位置から退避するように付勢する第２付勢手段と、前記カード挿入口部材をカード排出方向に付勢する第３付勢手段と、前記ＥＴＣカードの挿入を検出するカード挿入検出手段と、前記カード挿入口部材を前記収納位置でロックし、前記カード挿入検出手段からのカード挿入検出信号に基づいて前記カード挿入口部材のロックを解除するソレノイドとを含む請求項１または２に記載のＥＴＣ車載器。
【請求項４】
前記カード挿入口部材のカード挿入口の近傍に、前記カード挿入口部材が前記突出位置に変位する際の指よけ用凹部が形成されている請求項１ないし３のいずれか１項に記載のＥＴＣ車載器。
【請求項５】
前記筐体の意匠面に設置された照明を備える請求項１ないし４のいずれか１項に記載のＥＴＣ車載器。
【発明の詳細な説明】
【技術分野】
【０００１】
本発明はＥＴＣ（Electronic Toll Collection：自動料金収受システム）車載器に関し、特にカード全挿入タイプのカードコネクタを使用するＥＴＣ車載器に関する。
【背景技術】
【０００２】
従来のカード全挿入タイプのカードコネクタを使用するＥＴＣ車載器では、図１０（ａ）および（ｂ）に示すように、ＥＴＣカード２をカードコネクタ（図示せず）にセットするためには、ＥＴＣカード２をＥＴＣ車載器１１０の内側まで指で押し込む必要があった。このため、ＥＴＣ車載器１１０の前面である意匠面１１１に指よけ用凹部１１２が設けられていた（例えば、特許文献１参照）。
【０００３】
さらに、暗所等の暗い環境でもカード挿入口１１４が視認できるように、指よけ用凹部１１２内に照明１１５が設けられていた。
【特許文献１】特開２００５−３２１６１９
【発明の開示】
【発明が解決しようとする課題】
【０００４】
従来のＥＴＣ車載器１１０では、図１０（ａ）および（ｂ）に示すように、指よけ用凹部１１２が意匠面１１１内に収まらずに、実際の取付面よりも大きな取付面が必要となっており（搭載必要寸法Ｌ＞車載器寸法Ｈ）、車両固定側のインスツルメントパネル１１３にも指よけ用凹部１１２の一部を形成する必要があった。このため、インスツルメントパネル１１３をＥＴＣ車載器１１０と一体のものとして加工する必要があるという問題点があった。
【０００５】
また、従来のＥＴＣ車載器１１０では、意匠面１１１に指よけ用凹部１１２を設けているので、図１０（ｂ）中に破線で示すように、可視範囲の角度が制限されることになり、カード挿入口１１４の視認性が悪化するという問題点があった。
【０００６】
本発明の目的は、上述の点に鑑み、カード全挿入タイプのカードコネクタを使用するＥＴＣ車載器において、ＥＴＣカードの挿入時に必要な指よけ用凹部を意匠面からなくすようにしたＥＴＣ車載器を提供することにある。
【課題を解決するための手段及び発明の効果】
【０００７】
請求項１に記載のＥＴＣ車載器は、カード全挿入タイプのカードコネクタを使用するＥＴＣ車載器において、ＥＴＣカードをカード挿入位置で保持し、カード排出操作に応じて前記ＥＴＣカードをカード挿入位置から排出するカード挿脱機構を有するコネクタ本体，および前記コネクタ本体のカード挿入端部にスライド自在に嵌合されたカード挿入口部材からなるカードコネクタと、前記カードコネクタを前記カード挿入口部材の開口に対応させて配設する筐体とを備え、前記ＥＴＣカードの挿入過程で、前記カード挿脱機構と連動して、前記カード挿入口部材を、当該カード挿入口部材の意匠面が前記筐体の意匠面と面一となる収納位置から、当該カード挿入口部材の意匠面が前記筐体の意匠面から突出する突出位置に変位させることを特徴とする。請求項１に記載のＥＴＣ車載器によれば、ＥＴＣカードの挿入過程で、カード挿脱機構と連動して、カード挿入口部材を収納位置から突出位置に変位させるようにしたことにより、筐体の意匠面に指よけ用凹部が不要になるという効果がある。このため、車両のインスツルメントパネルをＥＴＣ車載器と一体のものとして加工する必要がなくなる。
【０００８】
請求項２に記載のＥＴＣ車載器は、請求項１に記載のＥＴＣ車載器において、前記カード挿入口部材の前記突出位置への変位後に、当該カード挿入口部材を前記収納位置まで押し込むことにより、前記カード挿脱機構により前記ＥＴＣカードが前記カード挿入位置で保持されることを特徴とする。請求項２に記載のＥＴＣ車載器によれば、ＥＴＣカードの挿入過程でカード挿入口部材を筐体の意匠面から突出させ、さらにカード挿入口部材の意匠面を指で押し込むことによりＥＴＣカードがロックされるようにしたので、ＥＴＣカードの押込み操作を二段階にして、指がカード挿入口部材にぶつかることを防止することができる。
【０００９】
請求項３に記載のＥＴＣ車載器は、請求項１または２に記載のＥＴＣ車載器において、前記ＥＴＣカードの後端面と当接するカード排出プレートと、前記カード排出プレートをカード排出方向に付勢する第１付勢手段と、前記カード排出プレートと係合して前記カード排出プレートをカード挿入位置でロックするロックプレートと、前記ロックプレートを前記カード排出プレートのロック位置から退避するように付勢する第２付勢手段と、前記カード挿入口部材をカード排出方向に付勢する第３付勢手段と、前記ＥＴＣカードの挿入を検出するカード挿入検出手段と、前記カード挿入口部材を収納位置でロックし、前記カード挿入検出手段からのカード挿入検出信号に基づいて前記カード挿入口部材のロックを解除するソレノイドとを含んで構成されていることを特徴とする。請求項３に記載のＥＴＣ車載器によれば、ＥＴＣカードの挿入を検出してカード挿入口部材のロックを解除するようにしたので、ＥＴＣカードの挿入過程でカード挿入口部材を筐体の意匠面から容易に突出させることができる。
【００１０】
請求項４に記載のＥＴＣ車載器は、請求項１ないし３のいずれか１項に記載のＥＴＣ車載器において、前記カード挿入口部材のカード挿入口の近傍に、前記カード挿入口部材の意匠面が前記筐体の意匠面から突出する際の指よけ用凹部が形成されていることを特徴とする。請求項４に記載のＥＴＣ車載器によれば、カード挿入口部材に指よけ用凹部が形成されているので、カード挿入口部材の意匠面が筐体の意匠面から突出する際にカード挿入口部材が指にぶつかることを防止することができる。
【００１１】
請求項５に記載のＥＴＣ車載器は、請求項１ないし４のいずれか１項に記載のＥＴＣ車載器において、前記筐体の意匠面に設置された照明を備えることを特徴とする。請求項５に記載のＥＴＣ車載器によれば、従来は照明が指よけ用凹部のために奥まった位置に設置されていたので、ＥＴＣ車載器の搭載位置によってはカード挿入口の視認性が悪化していたが、照明を筐体の意匠面に設置することによりカード挿入口の視認性が向上する。
【発明を実施するための最良の形態】
【００１２】
ＥＴＣカードの挿入時に必要な指よけ用凹部を筐体の意匠面からなくすという目的を、コネクタ本体のカード挿入端部にスライド自在に嵌合されたカード挿入口部材を有するカードコネクタを筐体の意匠面の開口内に配設することにより達成した。
【００１３】
以下、本発明の実施例について図面を参照して説明する。
【実施例１】
【００１４】
図１および図２は、本発明の実施例１に係るＥＴＣ車載器１の斜視図および平面図である。本実施例１に係るＥＴＣ車載器１は、薄箱状の筐体１０を有し、その前面である意匠面１０ａには、カードコネクタ２０（図３参照）を配設する開口１０ｂが穿設されるとともに、ＥＴＣカード２を取り出すためのカード排出ボタン１１と、開口１０ｂの上端外縁部の中央位置に配設された照明１２と、筐体１０の意匠面１０ａの上端縁寄りのやや右側寄り中央位置に配設された電源インジケータ・エラーインジケータ１３とが設けられている。
【００１５】
図３に示すように、カードコネクタ２０は、カード全挿入タイプのカードコネクタであり、矩形板体状のコネクタ本体２１と、コネクタ本体２１の前端部にコネクタ本体２１に対してスライド自在に取り付けられたカード挿入口部材２２とから構成されている。
【００１６】
コネクタ本体２１は、カードコネクタ２０にＥＴＣカード２を全挿入させたときに、ＥＴＣカード２の接点と接触する端子（図示せず）を内蔵している。
【００１７】
カード挿入口部材２２は、前面壁および後面壁のない薄肉中空直方体でなり、後面開口がコネクタ本体２１のカード挿入端部にスライド自在に嵌合されている。そして、カード挿入口部材２２の前面である意匠面２２ｆに穿設された開口がカード挿入口２２ａとなっている。カード挿入口部材２２は、意匠面２２ｆが筐体１０の意匠面１０ａと一致する収納位置まで押し込まれると、カード排出ボタン１１を含むカード挿脱機構（図６（ａ），（ｂ）参照）によってコネクタ本体２１に対してロック（クリックストップ）される。詳しくは、図７（ａ），（ｂ）に示すように、カード挿入口部材２２の左奥隅部には、テーパー面２２ｄと、挿入口凹部２２ｅとが形成されており、テーパー面２２ｄでソレノイド２０７のロック凸部２０７ａのテーパー面２０７ｂを押し動かして、挿入口凹部２２ｅにロック凸部２０７ａが嵌合することにより、カード挿入口部材２２がロックされる。また、カード挿入口部材２２は、コネクタ本体２１との間に介挿されたカード挿入口部材ばね２０５（図６（ａ），（ｂ）参照）によりコネクタ本体２１の前方に向けてスライドする付勢力を与えられているが、規制部２２ｇ（図６（ａ）参照）が規制ピン２０１ｅに当接することにより突出位置以上には突出しないように規制されている。
【００１８】
図４に拡大して示すように、カード挿入口部材２２の前端縁の中央位置には、カード挿入口部材２２が開口１０ｂから突出する際に指にぶつからないようにするための指よけ用凹部２２ｂが形成されている。
【００１９】
また、図５に拡大して示すように、カード挿入口部材２２の上面の前端縁に沿って、カード挿入口部材２２の、筐体１０の開口１０ｂに対する押込み限界位置を規制するための突条２２ｃが突設されている。
【００２０】
図６（ａ），（ｂ）は、コネクタ本体２１の内部に配設されたカード挿脱機構を詳細に示す要部平面図および要部側面である。カード挿脱機構は、カード排出プレート２０１と、第１付勢手段であるカード排出ばね２０２と、ロックプレート２０３と、第２付勢手段であるロックプレートばね２０４と、第３付勢手段であるカード挿入口部材ばね２０５と、ロータリエンコーダスイッチ２０６と、ソレノイド２０７とを含んで構成されている。
【００２１】
カード排出プレート２０１は、前後方向（図６（ａ）で見て上下方向）にスライド自在に配設された帯状の板体でなり、ＥＴＣカード２の後端面と当接する折曲片でなるカード当接部２０１ａ（図６（ｂ）参照）と、カード排出プレートばね２０２の一端を係着するとともに規制ピン２０１ｅと係合する規制片２０１ｂと、ロックプレート２０３と当接する折曲片でなるロックプレート当接部２０１ｃ（図６（ｂ）参照）と、ＥＴＣカード２のカード挿入方向への移動をロータリエンコーダスイッチ２０６に検出させる挿入検出片２０１ｄとが形成されている。ＥＴＣカード２は、コネクタ本体２１内に所定量以上に挿入されると、その後端面がカード排出プレート２０１のカード当接部２０１ａに当接し、カード排出プレート２０１とともにスライドする。カード排出プレートばね２０２は、コネクタ本体２１(または図示しない基板)とカード排出プレート２０１の規制片２０１ｂとの間に介挿され、カード排出プレート２０１を筐体１０の意匠面１０ａに向けてカード排出方向にスライドさせるように働く緊縮弾力を有する。
【００２２】
ロックプレート２０３は、枢軸２０３ａにより回動自在に保持された板体でなり、カード排出プレート２０１のロックプレート当接部２０１ｃと係合して、ロックプレートばね２０４によりカード排出プレート２０１をロック状態（図６（ａ）参照）に保持する係止部２０３ｂと、カード排出ボタン１１に連結する連結腕２０３ｃとが形成されている。ロックプレートばね２０４は、コネクタ本体２１(または図示しない基板)とロックプレート２０３との間に介挿され、ロックプレート２０３を枢軸２０３ａを中心に時計回りに回転させる方向に働く緊縮弾力を有する。ロックプレートばね２０４の緊縮弾力による枢軸２０３ａを中心とするロックプレート２０３の時計回りの回動は、連結腕２０３ｃを介してカード排出ボタン１１が左端位置（図６（ａ）で見て）にスライドすることにより垂直位置（図６（ａ）で見て）で停止されている。
【００２３】
カード挿入口部材ばね２０５は、コネクタ本体２１(または図示しない基板)とカード挿入口部材２２との間に介挿され、カード挿入口部材２２を筐体１０の意匠面１０ａから突出させるカード排出方向に働く緊縮弾力を有する。カード挿入口部材ばね２０５の緊縮弾力によるカード挿入口部材２２のスライドは、収納位置では、図７（ｂ）に示すように、ソレノイド２０７のロック凸部２０７ａがカード挿入口部材２２の挿入口凹部２２ｅに嵌合することにより停止されている。また、突出位置では、カード挿入口部材２２の規制部２２ｇが規制ピン２２ｈに当接することにより停止されている。
【００２４】
ロータリエンコーダスイッチ２０６は、カード排出プレート２０１の挿入検出片２０１ｄと接触してＥＴＣカード２のカード挿入方向への移動を検出する役目をする。特に、ロータリエンコーダスイッチ２０６は、ＥＴＣカード２のカード挿入方向への移動を検出すると、ソレノイド２０７にカード挿入検出信号を出力する。
【００２５】
ソレノイド２０７は、図７（ａ），（ｂ）に示すように、そのプランジャの先端部に、カード挿入口部材２２を収納位置でロックするロック凸部２０７ａが形成されている。ロック凸部２０７ａの前端側は、斜めに切り欠かれてテーパー面２０７ｂとなっている。テーパー面２０７ｂは、ＥＴＣカード２の挿入時に、カード挿入口部材２２のテーパー面２２ｄに係合してロック凸部２０７ａをプランジャの移動方向に押し動かす（スライドさせる）役目をする。また、ロック凸部２０７ａは、カード挿入口部材２２の挿入口凹部２２ｅに嵌合してカード挿入口部材２２を収納位置でロックする役目をする。
【００２６】
図８（ａ）〜（ｄ）は、ＥＴＣ車載器１にＥＴＣカード２を挿入する過程を示す状態遷移図である。
【００２７】
図９（ａ），（ｂ）は、ＥＴＣ車載器１からＥＴＣカード２を排出する過程を示す状態遷移図である。
【００２８】
次に、このように構成された実施例１に係るＥＴＣ車載器１の動作について、図１ないし図９を参照しながら説明する。
【００２９】
まず、ＥＴＣカード２の未挿入状態では、カード挿入口部材２２は、図７（ｂ）に示すように、ソレノイド２０７のロック凸部２０７ａがカード挿入口部材２２の挿入口凹部２２ｅに嵌合することにより、コネクタ本体２１内の収納位置でロックされている。この収納位置では、カード挿入口部材２２の意匠面２２ｆは、筐体１０の意匠面１０ａと面一となっている。また、ロックプレート２０３は、枢軸２０３ａを中心として反時計方向に若干回動したロック解除状態にある（図６（ａ）はロック状態）。さらに、カード排出プレート２０１は、カード排出ばね２０２の緊縮弾力によって筐体１０の意匠面１０ａに向けてスライドされ（図６（ａ）は収納状態）、規制片２０１ｂと規制ピン２０１ｅとが当接することにより停止している。
【００３０】
ＥＴＣカード２の挿入時には、利用者は、まず、図８（ａ）に示すように、ＥＴＣカード２をカード挿入口２２ａに挿し入れ、ＥＴＣカード２の前端面（手前側端面）を指で押して次第に挿入していく。ロックプレート２０３が枢軸２０３ａを中心として反時計方向に若干回動したロック解除状態において、ＥＴＣカード２がカード挿入口２２ａに所定量以上挿入されると、ＥＴＣカード２は、カード排出プレート２０１のカード当接部２０１ａに突き当たる。
【００３１】
そして、ＥＴＣカード２がカード排出ばね２０２の緊縮弾力に抗してさらにカード挿入口２２ａに押し込まれていくと、図８（ｂ）に示すように、指が筐体１０の意匠面１０ａに当たる手前ぐらいの位置で、カード排出プレート２０１の挿入検出片２０１ｄがロータリエンコーダスイッチ２０６に接触する。すると、ロータリエンコーダスイッチ２０６は、カード排出プレート２０１の挿入検出片２０１ｄとカード挿入方向に接触したというカード挿入検出信号をソレノイド２０７に伝達する。ソレノイド２０７は、カード挿入検出信号を受けると、プランジャを吸引して、ロック凸部２０７ａを挿入口凹部２２ｅ内から退避する方向に移動させ、これによりロック凸部２０７と挿入口凹部２２ｅとの嵌合が外れてカード挿入口部材２２のロックが解除される。すると、それまでコネクタ本体２１内に保持されていたカード挿入口部材２２は、カード挿入口部材ばね２０５の緊縮弾力によりスライドして筐体１０の意匠面１０ａから若干突出する。このため、ＥＴＣカード２が、カード挿入口部材２２の意匠面２２ｆより少し内側となるように、カード挿入口２２ａに入り込んだようになる。
【００３２】
なお、カード挿入口部材ばね２０５の緊縮弾力によって筐体１０の意匠面１０ａから若干突出するカード挿入口部材２２は、カード挿入口部材２２の規制部２２ｇが規制ピン２２ｈに当接するまでは突出されるが、当接すると、それ以上に突出することはない。ちなみに、カード排出プレート２０１のカード当接部２０１ａとＥＴＣカード２の後端面とは当接したままである。また、カード挿入口部材２２が突出位置にある間は、ソレノイド２０７へのカード挿入検出信号の伝達によってロック凸部２０７ａは一時的にロック解除状態の位置に変位にするが、その後は、ソレノイド２０７へのカード挿入検出信号の伝達がなくなることによってソレノイド２０７がプランジャの吸引を止めるので、ロック状態の位置（図７（ａ）参照）に戻るようになっている。
【００３３】
次に、利用者は、図８（ｃ）に示すように、指をＥＴＣカード２の前端面（手前側端面）からカード挿入口部材２２の意匠面２２ｆに乗せ替える。
【００３４】
続いて、利用者は、図８（ｄ）に示すように、指でカード挿入口部材２２の意匠面２２ｆを、筐体１０の意匠面１０ａと一致する収納位置まで押し込む。すると、この収納位置で、カード挿入口部材２２およびＥＴＣカード２がカード排出ボタン１１を含むカード挿脱機構（図６（ａ），（ｂ）参照）によってコネクタ本体２１にロックされる。
【００３５】
詳しくは、カード挿入口部材２２をカード挿入方向へ押し込んでいくと、カード挿入口部材２２のテーパー面２２ｄとソレノイド２０７のロック凸部２０７ａのテーパー面２０７ｂとが当接する。カード挿入口部材２２がさらに奥まで押し込まれると、カード挿入口部材２２は、ロック凸部２０７ａを乗り越える。この際、ロック凸部２０７ａは、一時的にテーパー面２０７ｂから与えられる応力によりロック解除状態の位置にスライドする。そして、カード挿入口部材２２がロック凸部２０７ａを乗り越えると、ロック凸部２０７ａは、ソレノイド２０７のプランジャの弾性力によりロック状態の位置に復動する。ロック凸部２０７ａのロック状態の位置への復動により、ロック凸部２０７ａが挿入口凹部２２ｅに嵌合することによって、カード挿入口部材２２は、収納位置でロックされる。この間、カード排出プレート２０１のカード当接部２０１ａとＥＴＣカード２の後端面とは当接したままである。そして、カード排出プレート２０１がさらに押され、ロックプレート当接部２０１ｃが係止部２０３ｂとの係合位置を越えると、ロックプレート２０３がロックプレートばね２０４の緊縮弾力により枢軸２０３ａを中心として時計方向に回動して、係止部２０３ｂがロックプレート当接部２０１ｃに係合し、ロックプレート２０３によりカード排出プレート２０１がロックされる。すると、カード排出プレートばね２０２の緊縮弾力は無効化され、ＥＴＣカード２は挿入位置でロックされる（図８（ｄ）参照）。
【００３６】
このようなＥＴＣカード２の挿入位置では、ＥＴＣカード２の接点とカードコネクタ２０の端子とが接触して電気的な導通がとられ、ＥＴＣ車載器１は、ＥＴＣカード２に対して読み書きを行うことができるようになる。
【００３７】
一方、ＥＴＣカード２の排出時には、利用者は、図９（ａ）に示すように、カード排出ボタン１１を指で右方にスライド操作する。
【００３８】
すると、カード排出ボタン１１を含むカード挿脱機構によって、図９（ｂ）に示すように、ＥＴＣカード２のみがカード挿入口２２ａから排出される。
【００３９】
詳しくは、利用者によってカード排出ボタン１１がスライド操作されると（図９（ａ）では右側にスライドさせる）、ロックプレート２０３は、ロックプレートばね２０４の緊縮弾力に抗して枢軸２０３ａを中心に反時計回りに若干回動する。すると、係止部２０３ｂによるロックプレート当接部２０１ｃの係止が外れ、ロックプレート２０３によるカード排出プレート２０１のロックが解除される。このため、カード排出ばね２０２の緊縮弾力によってカード排出プレート２０１がカード挿入方向にスライドされ、カード排出プレート２０１のカード当接部２０１ａに当接するＥＴＣカード２が筐体１０から排出される（意匠面１０ａから突出される）。なお、ＥＴＣカード２が筐体１０から排出される過程で、カード排出プレート２０１の挿入検出片２０１ｄがロータリエンコーダスイッチ２０６に接触するが、ロータリエンコーダスイッチ２０６は、カード排出プレート２０１がＥＴＣカード２のカード排出方向に移動していると判断し、その検出信号をソレノイド２０７に伝達しない。このため、ロック凸部２０７ａは移動せず（図7（ｂ）参照）、カード挿入口部材２２は収納位置のまま筐体１０の意匠面１０ａから突出せずに、ＥＴＣカード２だけが排出される。
【００４０】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００４１】
【図１】本発明の実施例１に係るＥＴＣ車載器の斜視図。
【図２】本実施例１に係るＥＴＣ車載器の正面図。
【図３】カードコネクタの斜視図。
【図４】カードコネクタの前端部を示す拡大平面図。
【図５】カードコネクタの前端部を示す拡大側面図。
【図６】（ａ），（ｂ）は、ＥＴＣ車載器内部のカード挿脱機構を詳細に示す要部平面図および要部側面。
【図７】（ａ），（ｂ）は、カード挿入口部材の突出時およびロック時の動作を説明する要部動作図。
【図８】（ａ）〜（ｄ）はＥＴＣ車載器にＥＴＣカードを挿入する過程を示す状態遷移図。
【図９】（ａ），（ｂ）はＥＴＣ車載器からＥＴＣカードを排出する過程を示す状態遷移図。
【図１０】（ａ）および（ｂ）は従来のＥＴＣ車載器の正面模式図およびＡ−Ａ断面図。
【符号の説明】
【００４２】
１  ＥＴＣ車載器
２  ＥＴＣカード
１０  筐体
１０ａ  意匠面
１０ｂ  開口
１１  カード排出ボタン
１２  照明
１３  電源インジケータ・エラーインジケータ
２０  カードコネクタ
２１  コネクタ本体
２２  カード挿入口部材
２２ａ  カード挿入口
２２ｂ  指よけ用凹部
２２ｃ  突条
２２ｄ  テーパー面
２２ｅ  挿入口凹部
２２ｆ  意匠面
２０１  カード排出プレート
２０１ａ  カード当接部
２０１ｂ  規制片
２０１ｃ  ロックプレート当接部
２０１ｄ  挿入検出片
２０２  カード排出ばね（第１付勢手段）
２０３  ロックプレート
２０３ａ  枢軸
２０３ｂ  係止部
２０３ｃ  連結腕
２０４  ロックプレートばね（第２付勢手段）
２０５  カード挿入口部材ばね（第３付勢手段）
２０６  ロータリエンコーダスイッチ
２０７  ソレノイド（ソレノイド）
２０７ａ  ロック凸部
２０７ｂ  テーパー面
【図１】
2007293408.tif 000003
【図２】
2007293408.tif 000004
【図３】
2007293408.tif 000005
【図４】
2007293408.tif 000006
【図５】
2007293408.tif 000007
【図６】
2007293408.tif 000008
【図７】
2007293408.tif 000009
【図８】
2007293408.tif 000010
【図９】
2007293408.tif 000011
【図１０】
2007293408.tif 000012